(57)【要約】【課題】ドアの開錠をよりスムーズに行えるようにしたプッシュプル錠用ドアハンドルを提供する。【解決手段】ハンドル本体１のプッシュ又はプルの操作により、ラッチ２を錠前３内に没入させて開錠させる形式のプッシュプル錠用ドアハンドルにおいて、ハンドル本体１の一端側付近に第１搖動片４を設け、ハンドル本体１の他端側付近に第２搖動片５を設け、さらに、第１搖動片４を、ハンドル本体１内を移動可能に設けたロッド６を介して第２搖動片５と連動するようにしており、ハンドル本体１の両端間のどの部分を操作しても、ハンドル本体１がドア面７に対して直交する方向に移動するとともに、第１搖動片４が搖動することによってラッチ２を錠前３内に没入させられるようにしている【選択図】図５
2012154089.tif 000002
【特許請求の範囲】
【請求項１】
ハンドル本体（１）のプッシュ又はプルの操作により、ラッチ（２）を錠前（３）内に没入させて開錠させる形式のプッシュプル錠用ドアハンドルにおいて、ハンドル本体（１）の一端側付近に第１搖動片（４）を設け、ハンドル本体（１）の他端側付近に第２搖動片（５）を設け、さらに、第１搖動片（４）を、ハンドル本体（１）内を移動可能に設けたロッド（６）を介して第２搖動片（５）と連動するようにしており、ハンドル本体（１）の両端間のどの部分を操作しても、ハンドル本体（１）がドア面（７）に対して直交する方向に移動するとともに、第１搖動片（４）が搖動することによってラッチ（２）を錠前（３）内に没入させられるようにしていることを特徴とするプッシュプル錠用ドアハンドル。
【請求項２】
第１搖動片（４）と第２搖動片（５）は十字状であり、ハンドル本体（１）から近い側の端部である内端部（４ａ）（５ａ）がロッド（６）に軸着され、ハンドル本体（１）から遠い側の端部である外端部（４ｂ）（５ｂ）が錠前（３）に作用するようにし、ラッチ（２）から近い側の端部である一端部（４ｃ）（５ｃ）が軸着され、ラッチ（２）から遠い側の端部である他端部（４ｄ）（５ｄ）が所定範囲を移動可能となっている請求項１記載のプッシュプル錠用ドアハンドル。
【請求項３】
ドアハンドル本体（１）を操作していないときに、外端部（４ｂ）（５ｂ）が錠前（３）に作用しないように付勢するバネ（２１）を設けた請求項２記載のプッシュプル錠用ドアハンドル。
【発明の詳細な説明】
【技術分野】
【０００１】
この発明は、容易に開閉できるプッシュプル錠用ドアハンドルに関するものである。
【背景技術】
【０００２】
従来のプッシュプル錠用ドアハンドルとしては、特許文献１に記載のものがある。このプッシュプル錠用ドアハンドルは、ハンドル本体１をプッシュプルすることにより、ラッチ5aを錠前５内に没入させて開錠させる形式で、手や眼が不自由であっても、容易にドアが開閉できるようにしたものであり、その図１１〜１３に示された実施例２は、ハンドル本体１におけるドアＤの開閉側近傍と支点側部分が、当該ドアＤに対して平行運動機構を構成しており、ハンドル本体の両端間のどの部分を操作しても、ラッチを錠前内に没入させられるようになっている。
【０００３】
しかし、前記実施例２は、ハンドル本体１に取付足金具２を直接に設けて一体化した構成であり、図１１、図１２中の実線と２点鎖線で示されているように、ハンドル本体１がドアＤに対して斜め方向に移動するように操作しなければならない。そのため、ドアの開錠をよりスムーズに行えるようにすることが課題として存在していた。
【先行技術文献】
【特許文献】
【０００４】
【特許文献１】特開２００９−２６４０７６号公報
【発明の概要】
【発明が解決しようとする課題】
【０００５】
そこで、この発明は、ドアの開錠をよりスムーズに行えるようにしたプッシュプル錠用ドアハンドルを提供することを課題とする。
【課題を解決するための手段】
【０００６】
前記課題を解決するため、この発明は次のような技術的手段を講じている。
【０００７】
この発明のプッシュプル錠用ドアハンドルは、ハンドル本体１のプッシュ又はプルの操作により、ラッチ２を錠前３内に没入させて開錠させる形式のプッシュプル錠用ドアハンドルにおいて、ハンドル本体１の一端側付近に第１搖動片４を設け、ハンドル本体１の他端側付近に第２搖動片５を設け、さらに、第１搖動片４を、ハンドル本体１内を移動可能に設けたロッド６を介して第２搖動片５と連動するようにしており、ハンドル本体１の両端間のどの部分を操作しても、ハンドル本体１がドア面７に対して直交する方向に移動するとともに、第１搖動片４が搖動することによってラッチ２を錠前３内に没入させられるようにしている。
【０００８】
第１搖動片４と第２搖動片５は十字状であり、ハンドル本体１から近い側の端部である内端部４ａ，５ａがロッド６に軸着され、ハンドル本体１から遠い側の端部である外端部４ｂ、５ｂが錠前３に作用するようにし、ラッチ２から近い側の端部である一端部４ｃ、５ｃが軸着され、ラッチ２から遠い側の端部である他端部４ｄ、５ｄが所定範囲を移動可能なものとすることができる。
【０００９】
さらに、ドアハンドル本体１を操作していないときに、外端部４ｂ、５ｂが錠前３に作用しないように付勢するバネ２１を設けたものとすることができる。
【発明の効果】
【００１０】
この発明のプッシュプル錠用ドアハンドルは、上述のような構成を有しており、ドアの開錠をよりスムーズに行えるようになっている。
【図面の簡単な説明】
【００１１】
【図１】この発明の実施形態のプッシュプル錠用ドアハンドル（プッシュタイプ）の一部破断平面図である。
【図２】図１のＡ−Ａ線断面図である。
【図３】この発明の実施形態のプッシュプル錠用ドアハンドル（プルタイプ）の一部破断平面図である。
【図４】図３のＢ−Ｂ線断面図である。
【図５】この発明の実施形態のプッシュプル錠用ドアハンドルをドアに取り付けた場合の全体平面図である。
【図６】この発明の実施形態のプッシュプル錠用ドアハンドル（プッシュタイプ）の分解斜視図である。
【図７】この発明の実施形態のプッシュプル錠用ドアハンドル（プルタイプ）の分解斜視図である。
【発明を実施するための形態】
【００１２】
以下、この発明の好適な実施形態を、図面を参照して説明する。
【００１３】
このプッシュプル錠用ドアハンドルは、ハンドル本体１のプッシュ又はプルの操作により、ラッチ２を錠前３内に没入させて開錠させる形式のプッシュプル錠用ドアハンドルにおいて、ハンドル本体１の一端側付近に第１搖動片４を設け、ハンドル本体１の他端側付近に第２搖動片５を設け、さらに、第１搖動片４を、ハンドル本体１内を移動可能に設けたロッド６を介して第２搖動片５と連動するようにしており、ハンドル本体１の両端間のどの部分を操作しても、ハンドル本体１がドア面７に対して直交する方向に移動するとともに、第１搖動片４が搖動することによってラッチ２を錠前３内に没入させられるようにしたものである。
【００１４】
この実施形態では、ハンドル本体１は角筒状で、長尺方向が水平方向になるようにしてドアに取り付けられるようにしている。ハンドル本体１の内部には、ロッド６が長尺方向に移動可能に配される。ロッド６は、両端部が第１搖動片４と第２搖動片５に軸着された棒状の部材としている。ハンドル本体１は、縦方向（長尺方向が垂直方向）になるようにしてドアに取り付けたり、また、円筒状等としたりすることができる。ハンドル本体１は、２ｍ程度の長尺なものとすることもできる。
【００１５】
ハンドル本体１のドア面７に対向する面には、第１搖動片４、第２搖動片５の内端部４ａ，５ａ（ハンドル本体１から近い側の端部）が挿通する搖動用孔８が設けられている。この搖動用孔８は、第１搖動片４、第２搖動片５が所定範囲を搖動可能になるように、ハンドル本体１の長尺方向に長い孔として形成されている。
【００１６】
この実施形態のプッシュプル錠用ドアハンドルは、プッシュ操作により開錠するタイプ（図１、図２）と、プル操作により開錠するタイプ（図３、図４）の２種がドアの表裏に設けられたものとしている（図５）。なお、図２、図４、図５において、一点鎖線は操作前の状態、実線は操作後の状態を示している。また、図６、図７の各タイプの分解斜視図は、それぞれの第１搖動片４を含む部分を示しているが、第２搖動片５を含む部分は省略している。
【００１７】
〔プッシュ操作により開錠するタイプ〕
プッシュ操作により開錠するタイプの本体１のドアへの取り付けは、ハンドル本体１の一端側と他端側の２か所に取り付けられた取付具９，１０と、取付具９，１０と対応してドアに取り付けられたドア側プレート１１，１２とを介して行われる。
【００１８】
取付具９，１０は、出入部９ａ，１０ａと、外フレーム部９ｂ，１０ｂと、内フレーム部９ｃ，１０ｃからなる。出入部９ａ，１０ａ及び外フレーム部９ｂ，１０ｂは金属製、内フレーム部９ｃ，１０ｃはプラスチック製とすることができる。
【００１９】
出入部９ａ，１０ａは、外側（ドア側）に向かって立設した態様で、ハンドル本体１におけるドア面７に対向する面にボルト・ナットで固定されている。
【００２０】
外フレーム部９ｂ，１０ｂは、断面略コ字状で、ハンドル本体１と対向する面に開口部１３を有している。内フレーム部９ｃ，１０ｃは、外フレーム部９ｂ，１０ｂ内に嵌合するようにしたものであり、前記開口部１３に通じ内外方向（ドア面７に直交する方向）に貫通する孔１４を設け、この孔１４内に前記出入部９ａ，１０ａが摺動する部分と、第１搖動片４、第２搖動片５が搖動する部分を有するものとなっている。
【００２１】
ハンドル本体１の一端側と他端側の取付具９，１０は、第１搖動片４、第２搖動片５をそれぞれ搖動可能に保持している。第１搖動片４、第２搖動片５は、いずれも施錠時においてドア面７に対して直交する方向に延びる部分と平行な方向に延びる部分からなる十字状としている。
【００２２】
第１搖動片４、第２搖動片５の前記ドア面７に対して直交する方向に延びる部分は、その内端部４ａ，５ａ（ハンドル本体１から近い側の端部）が、ロッド６に軸着されており、その外端部４ｂ、５ｂ（ハンドル本体１から遠い側の端部）が、錠前３に作用するようにしている。
【００２３】
また、第１搖動片４、第２搖動片５の前記ドア面７に対して平行な方向に延びる部分は、その一端部４ｃ、５ｃ（ラッチ２から近い側の端部）が、取付具９，１０の外フレーム部９ｂ，１０ｂに設けられた丸孔１５に挿通された軸１６により軸着されており、その他端部４ｄ、５ｄ（ラッチ２から遠い側の端部）が、取付具９，１０の外フレーム部９ｂ，１０ｂ及び内フレーム部９ｃ，１０ｃに設けられた内外方向に長い長孔１７，１８、及び出入部９ａ，１０ａに設けられた丸孔１９に挿通された軸２０が貫通したものとしている。
【００２４】
ハンドル本体１を、ドア面７側に（図２中の一点鎖線で示した位置から実線で示した位置へ向かう方向に）プッシュ操作すると、前記出入部９ａ，１０ａがドア面７側に向かって内フレーム部９ｃ，１０ｃ内を摺動し、これにともなって第１搖動片４、第２搖動片５の前記他端側の軸２０が長孔１７，１８内を移動することにより第１搖動片４、第２搖動片５の外端部４ｂ、５ｂがラッチ２側（図２中右側）に移動して、第１搖動片４の外端部４ｂが錠前３に作用する。
【００２５】
第１搖動片４、第２搖動片５は、軸着された前記一端部４ｃ、５ｃを中心に回動可能であるが、前記他端部４ｄ、５ｄの移動範囲が長孔１７，１８によって規制されることにより、所定範囲で搖動可能となっている。また、前記他端部４ｄ、５ｄに貫通した軸２０は、前記一端部４ｃ、５ｃの軸１６に取り付けられたバネ２１により長孔１７，１８の内端側（ハンドル本体１側）に向かうように付勢された状態にあり、ドアハンドル本体１を操作していないときには、前記外端部４ｂ、５ｂが錠前３に作用しないようにしている。
【００２６】
ドア側プレート１１，１２は、ドア面７に取り付けられた長方形のプレート状のものであり、内外方向に延びるスペーサー２２を介して取付具９，１０の外フレーム部９ｂ，１０ｂと連結されている。ドア側プレート１１，１２には、中央に第１搖動片４、第２搖動片５の外端部４ｂ、５ｂが挿通する搖動用孔２３が設けられている。
【００２７】
搖動用孔２３はドアの内部に設けられた錠前３に通じており、第１搖動片４の前記外端部４ｂが錠前３の操作部３ａを押すことにより錠前３に作用し、ラッチ２が反転後退可能となる。
【００２８】
錠前３は、所謂反転式ラッチ錠であり、摺動する操作部３ａを有しており、操作部３ａの僅かな移動でラッチ２が反転後退可能状態となる市販されている公知のものを利用している。
【００２９】
〔プル操作により開錠するタイプ〕
プル操作により開錠するタイプのドアハンドルは、前述のプッシュ操作により開錠するタイプのドアハンドルと反対側のドア面７に取り付けられる。基本的な構成はプッシュ操作により開錠するタイプと同様であるが、これとは逆に、ハンドル本体１を、ドア面７から離れる側に（図４中の一点鎖線で示した位置から実線で示した位置へ向かう方向に）プル操作すると、出入部９ａ，１０ａがドア面７から離れる方向に内フレーム部９ｃ，１０ｃ内を摺動し、これにともなって第１搖動片４、第２搖動片５の前記他端側の軸２０が長孔１７，１８内を移動することにより第１搖動片４、第２搖動片５の外端部４ｂ、５ｂがラッチ２の反対側（図４中左側）に移動して、第１搖動片４の外端部４ｂが錠前３の操作部３ａを引き出すことにより、錠前３に作用する。
【００３０】
また、第１搖動片４、第２搖動片５の他端部４ｄ、５ｄに貫通した軸２０は、前記一端部４ｃ、５ｃの軸１６に取り付けられたバネ２１により長孔１７，１８の外端側（ドア側）に向かうように付勢された状態にあり、ドアハンドル本体１を操作していないときには、前記外端部４ｂ、５ｂが錠前３に作用しないようにしている。
【００３１】
なお、プル操作により開錠するタイプのドアハンドルにおける第１搖動片４、第２搖動片５は、中央から外端部４ｂ、５ｂに延びる部分がラッチ２から遠い側に曲がっているとともに、前記プッシュ操作により開錠するタイプのドアハンドルにおける第１搖動片４、第２搖動片５とは上下方向に段違いに設けられ、互いに干渉しないようにしている。
【００３２】
〔このドアハンドルの利点〕
このドアハンドルは、ハンドル本体１の一端側から他端側にわたるどの部分をプッシュプル操作しても、スムーズにドアを開状態にできる。すなわち、ロッド６を介して連結されたハンドル本体１の一端側の第１搖動片４と他端側の第２搖動片５が連動するようになっており、ハンドル本体１の両端間のどの部分を操作した場合でも、同様にハンドル本体１がドア面７に対して傾くことなく平行のまま、ドア面７と直交する方向にスムーズに移動させることができる。特に、ハンドル本体１を縦方向に取り付けた場合は、身長に差のある大人や子供では、ハンドル本体１を操作する位置が異なるが、同様な感覚でスムーズにドアを開状態にすることができる。
【００３３】
以上がこの発明の好適な実施形態であるが、この発明は上述の実施形態の構成に限定されるものではなく、形状、寸法、材質等を適宜変更して実施することができる。
【符号の説明】
【００３４】
１  ハンドル本体
２  ラッチ
３  錠前
４  第１搖動片
５  第２搖動片
４ａ，５ａ  内端部
４ｂ、５ｂ  外端部
４ｃ、５ｃ  一端部
４ｄ、５ｄ  他端部
６  ロッド
７  ドア面
２１  バネ
【図１】
2012154089.tif 000003
【図２】
2012154089.tif 000004
【図３】
2012154089.tif 000005
【図４】
2012154089.tif 000006
【図５】
2012154089.tif 000007
【図６】
2012154089.tif 000008
【図７】
2012154089.tif 000009